(57)【要約】【課題】アンテナ部が平面で構成されながらも、アンテナ部に対してＲＦ−ＩＤメディアが垂直に設置された場合におけるＲＦ−ＩＤメディアに対する情報の書き込み及び読み出し可能距離を長くする。【解決手段】１つの平面にて八の字を描くように２つのコイル状アンテナ１１ａ，１１ｂを直列に接続して構成する。【選択図】　図１
2004126750.tif 000002
【特許請求の範囲】
【請求項１】
ＲＦ−ＩＤメディアに対して非接触状態にて情報の書き込み及び読み出しを行う情報書込／読出装置であって、
複数のコイル状のアンテナが、他のコイル状のアンテナとの間にて１つの平面で八の字を描くように直列に接続されて形成されたアンテナ部と、
前記アンテナ部に電流を供給することにより前記ＲＦ−ＩＤメディアに対する情報の書き込み及び読み出しを行う制御手段とを有することを特徴とする情報書込／読出装置。
【請求項２】
ＲＦ−ＩＤメディアに対して非接触状態にて情報の書き込み及び読み出しを行う情報書込／読出装置に設けられ、前記ＲＦ−ＩＤメディアとの間にて通信を行うためのアンテナであって、
複数のコイル状アンテナが、他のコイル状アンテナとの間にて１つの平面で八の字を描くように直列に接続されて形成されていることを特徴とするアンテナ。
【請求項３】
ベース基材上にアンテナ部が形成されるとともに前記アンテナ部を介して非接触状態にて情報の書き込み及び読み出しが可能なＩＣモジュールが搭載されたＲＦ−ＩＤメディアにおいて、
前記アンテナ部は、複数のコイル状アンテナが、他のコイル状アンテナとの間にて１つの平面で八の字を描くように直列に接続されて形成されていることを特徴とするＲＦ−ＩＤメディア。
【発明の詳細な説明】
【０００１】
【発明の属する技術分野】
本発明は、非接触型ＩＣカード等のＲＦ−ＩＤメディアに対して非接触状態にて情報の書き込み及び読み出しを行う情報書込／読出装置に関する。
【０００２】
【従来の技術】
近年、情報化社会の進展に伴って、情報をカードに記録し、該カードを用いた情報管理や決済等が行われている。また、商品等に貼付されるラベルに情報を記録し、このラベルを用いての商品等の管理も行われている。
【０００３】
このようなカードやラベルを用いた情報管理においては、カードやラベルに対して非接触状態にて情報の書き込み及び読み出しを行うことが可能なＩＣが搭載された非接触型ＩＣカードや非接触型ＩＣタグがその優れた利便性から急速な普及が進みつつある。
【０００４】
図６は、一般的な非接触型ＩＣタグの構造の一例を示す図である。
【０００５】
本従来例における非接触型ＩＣタグは図６に示すように、樹脂シート等のベース基材５５０上に、外部からの情報の書き込み及び読み出しが可能なＩＣモジュール５１０が搭載されるとともに、接点５４０を介してＩＣモジュール５１０と接続され、外部に設けられた情報書込／読出装置（不図示）からの電磁誘導によりＩＣモジュール５１０に電流を供給し、ＩＣモジュール５１０に対する情報の書き込み及び読み出しを非接触状態にて行うための導電性のアンテナ５２０がコイル状に形成されて構成されている。
【０００６】
上記のように構成された非接触型ＩＣタグ５００においては、外部に設けられた情報書込／読出装置に近接すると、情報書込／読出装置からの電磁誘導によりアンテナ５２０に電流が流れ、この電流がＩＣモジュール５１０に供給され、それにより、非接触状態において、情報書込／読出装置からＩＣモジュール５１０に情報が書き込まれたり、ＩＣモジュール５１０に書き込まれた情報が情報書込／読出装置にて読み出されたりする。
【０００７】
図７は、図６に示した非接触型ＩＣタグ５００に対する情報の書き込み及び読み出し動作の原理を説明するための図である。
【０００８】
外部に設けられた情報書込／読出装置によって図６に示した非接触型ＩＣタグ５００に対して情報の書き込みあるいは読み出しが行われる場合、図７に示すように、情報書込／読出装置のコイル状のアンテナ６００に電流が流れ、それにより、アンテナ６００のコイル状のコア部分から放出される方向に磁界Ｈが発生する。
【０００９】
この状態で、非接触型ＩＣタグ５００を情報書込／読出装置のアンテナ６００に近接させると、情報書込／読出装置のアンテナ６００を流れる電流によって発生した磁界Ｈが、非接触型ＩＣタグ５００のアンテナ５２０のコイル状のコア部分を貫通し、それにより、アンテナ５２０に電流が流れる。
【００１０】
アンテナ５２０に流れる電流は、非接触型ＩＣタグ５００のＩＣモジュール５１０に接点５４０を介して供給され、それにより、非接触状態において、情報書込／読出装置からＩＣモジュール５１０に情報が書き込まれたり、ＩＣモジュール５１０に書き込まれた情報が情報書込／読出装置にて読み出されたりする。
【００１１】
上述したような従来の非接触型ＩＣタグにおいては、情報書込／読取装置のコイル状のアンテナを流れる電流によってコイル状のコア部分から放出される方向に発生した磁界が非接触型ＩＣタグのアンテナのコイル状のコア部分を貫通することにより、非接触型ＩＣタグのアンテナに電流が流れ、この電流が非接触型ＩＣタグのＩＣモジュールに供給され、情報の書き込みあるいは読み出しが行われることになるが、情報書込／読取装置のアンテナと非接触型ＩＣタグのアンテナとを対向させた場合と、情報書込／読取装置のアンテナと非接触型ＩＣタグのアンテナとを互いに垂直となるように配置した場合とでは、情報書込／読出装置と非接触型ＩＣタグとの間における通信可能距離が大きく異なる。
【００１２】
図８は、図６に示した非接触型ＩＣタグ５００を情報書込／読出装置のアンテナに対して垂直に配置した場合における非接触型ＩＣタグ５００に対する情報の書き込み及び読み出し動作の原理を説明するための図である。
【００１３】
図８に示すように、非接触型ＩＣタグ５００を情報書込／読出装置のアンテナ６００に対して垂直になるように配置した場合は、非接触型ＩＣタグ５００を情報書込／読出装置のアンテナ６００にかなり近接させなければ、情報書込／読出装置のアンテナ６００を流れる電流によって発生した磁界Ｈが非接触型ＩＣタグ５００のアンテナ５２０のコイル状のコア部分を貫通するようにならず、なおかつ、その磁束量も少ない。
【００１４】
これにより、情報書込／読取装置のアンテナと非接触型ＩＣタグのアンテナとを互いに垂直となるように配置した場合は、情報書込／読取装置のアンテナと非接触型ＩＣタグのアンテナとを対向させた場合と比べて、情報書込／読取装置と非接触型ＩＣタグとの間の通信可能距離が極めて短いものとなってしまう。
【００１５】
そのため、非接触型ＩＣタグに対して情報の書き込みあるいは読み出しを行う場合においては、情報書込／読出装置のアンテナと非接触型ＩＣタグとを対向させなければならず、その相対角度に制約が生じてしまい、非接触型ＩＣタグを物品等に貼付する場合、その貼付面が、情報書込／読出装置のアンテナが対向できる面に限定されてしまう。
【００１６】
そこで、互いに垂直となるように設けられた２つのコイル状アンテナを有する情報書込／読出装置を用い、それぞれのコイル状アンテナのコア部分から放出される方向に発生する磁界によって、非接触型ＩＣタグに対する情報の書き込み及び読み出しの方向規制を緩和する技術が考えられている（例えば、特許文献１参照。）。
【００１７】
【特許文献１】
特開２００１−１５６５２５号公報（第６頁、図９）
【００１８】
【発明が解決しようとする課題】
しかしながら、上述したような従来の情報書込／読出装置においては、非接触型ＩＣタグ等のＲＦ−ＩＤメディアに対する情報の書き込み及び読み出しの方向規制を緩和することができるものの、２つのコイル状のアンテナが互いに垂直となるように設けられているため、アンテナの形状が嵩張るような形状となり、限られたスペースに設置しにくい場合が生じてしまうという問題点がある。
【００１９】
本発明は、上述したような従来の技術が有する問題点に鑑みてなされたものであって、アンテナ部が平面で構成されながらも、アンテナ部に対してＲＦ−ＩＤメディアが垂直に設置された場合におけるＲＦ−ＩＤメディアに対する情報の書き込み及び読み出し可能距離を長くすることができる情報書込／読出装置を提供することを目的とする。
【００２０】
【課題を解決するための手段】
上記目的を達成するために本発明は、
ＲＦ−ＩＤメディアに対して非接触状態にて情報の書き込み及び読み出しを行う情報書込／読出装置であって、
複数のコイル状のアンテナが、他のコイル状のアンテナとの間にて１つの平面で八の字を描くように直列に接続されて形成されたアンテナ部と、
前記アンテナ部に電流を供給することにより前記ＲＦ−ＩＤメディアに対する情報の書き込み及び読み出しを行う制御手段とを有することを特徴とする。
【００２１】
また、ＲＦ−ＩＤメディアに対して非接触状態にて情報の書き込み及び読み出しを行う情報書込／読出装置に設けられ、前記ＲＦ−ＩＤメディアとの間にて通信を行うためのアンテナであって、
複数のコイル状アンテナが、他のコイル状アンテナとの間にて１つの平面で八の字を描くように直列に接続されて形成されていることを特徴とする。
【００２２】
また、ベース基材上にアンテナ部が形成されるとともに前記アンテナ部を介して非接触状態にて情報の書き込み及び読み出しが可能なＩＣモジュールが搭載されたＲＦ−ＩＤメディアにおいて、
前記アンテナ部は、複数のコイル状アンテナが、他のコイル状アンテナとの間にて１つの平面で八の字を描くように直列に接続されて形成されていることを特徴とする。
【００２３】
（作用）
上記のように構成された本発明においては、ＲＦ−ＩＤメディアに対して非接触状態にて情報の書き込みあるいは読み出しを行う場合、制御手段からアンテナ部に電流が供給され、この電流によってアンテナ部にて磁界が発生すると、この磁界がＲＦ−ＩＤメディアに形成されたコイル状のアンテナのコア部分を貫通し、ＲＦ−ＩＤメディアのアンテナに電流が流れ、これにより、ＲＦ−ＩＤメディアに対する情報の書き込みあるいは読み出しが行われるが、アンテナ部が、複数のコイル状のアンテナが、他のコイル状のアンテナとの間にて１つの平面で八の字を描くように直列に接続されて形成されているので、複数のコイル状のアンテナのうち、隣接するコイル状のアンテナ間においては、反対回りに電流が流れ、それにより、コイル状のアンテナのコア部分にて互いに逆方向に磁界が発生する。それにより、複数のコイル状のアンテナが隣接する領域においては、２つのコイル状のアンテナにて発生する磁界が強め合い、磁界の大きさが大きくなる。
【００２４】
そのため、複数のコイル状のアンテナが隣接する領域においては、アンテナ部に対してＲＦ−ＩＤメディアを垂直方向に設置した場合であっても、ＲＦ−ＩＤメディアのアンテナのコア部を通過する磁束量が増加し、アンテナ部とＲＦ−ＩＤメディアとの通信可能距離が長くなる。
【００２５】
【発明の実施の形態】
以下に、本発明の実施の形態について図面を参照して説明する。
【００２６】
（第１の実施の形態）
図１は、本発明の情報書込／読出装置の第１の実施の形態を示す図である。
【００２７】
本形態は図１に示すように、１つの平面上にて２つのコイル状アンテナ１１ａ，１１ｂが八の字を描くように直列に接続され、流れる電流によって磁界を生じさせるアンテナ部１０と、アンテナ部１０に電流を供給することにより、アンテナ部１０を介して、ＲＦ−ＩＤメディアに対する情報の書き込みや読み出しを行う情報書込／読出制御部２０とから構成されている。
【００２８】
上記のように構成された情報書込／読出装置においては、情報書込／読出制御部２０からアンテナ部１０に電流が供給されると、アンテナ部１０を構成するコイル状アンテナ１１ａ，１１ｂに流れる電流によって、コイル状アンテナ１１ａ，１１ｂのコア部分から放出される方向に磁界が発生する。
【００２９】
この状態で、ＲＦ−ＩＤメディアを情報書込／読出装置のアンテナ部１０に近接させると、コイル状アンテナ１１ａ，１１ｂを流れる電流によって発生した磁界が、ＲＦ−ＩＤメディアのアンテナのコイル状のコア部分を貫通し、それにより、ＲＦ−ＩＤメディアのアンテナに電流が流れる。
【００３０】
ＲＦ−ＩＤメディアのアンテナに流れる電流は、ＲＦ−ＩＤメディアのＩＣモジュールに供給され、それにより、ＲＦ−ＩＤメディアのアンテナと情報書込／読出装置のアンテナ部１０を介して通信が行われ、非接触状態において、情報書込／読出装置からＲＦ−ＩＤメディアのＩＣモジュールに情報が書き込まれたり、ＲＦ−ＩＤメディアのＩＣモジュールに書き込まれた情報が情報書込／読出装置にて読み出されたりする。
【００３１】
ここで、図１に示した情報書込／読出装置のアンテナ部１０にて発生する磁界について詳細に説明する。
【００３２】
図２は、図１に示したアンテナ部１０にて発生する磁界を説明するための図である。
【００３３】
図２に示すように、情報書込／読出制御部２０から供給された電流がコイル状アンテナ１１ａからコイル状アンテナ１１ｂに流れ、情報書込／読出制御部２０に戻るものとする。
【００３４】
すると、コイル状アンテナ１１ａにおいては反時計回りに電流が流れ、また、コイル状アンテナ１１ｂにおいては時計回りに電流が流れる。そのため、コイル状アンテナ１１ａ，１１ｂが互いに隣接する辺においては、同一方向に電流が流れることになる。また、コイル状アンテナ１１ａを流れる電流によって発生する磁界とコイル状アンテナ１１ｂを流れる電流によって発生する磁界とがコイル状アンテナ１１ａ，１１ｂのコア部分から逆方向に放出されるように生じ、それにより、コイル状アンテナ１１ａ，１１ｂが互いに隣接する辺の近傍においては、コイル状アンテナ１１ａを流れる電流によって発生する磁界とコイル状アンテナ１１ｂを流れる電流によって発生する磁界とが強め合い、１つのコイル状アンテナの場合と比べて２倍の大きさの磁界が発生することになる。
【００３５】
これにより、コイル状アンテナ１１ａ，１１ｂが互いに隣接する辺の近傍においては、ＲＦ−ＩＤメディア３０をアンテナ部１０に対して垂直方向に設置した場合であっても、ＲＦ−ＩＤメディア３０のアンテナ３１のコア部を通過する磁束量が増加し、アンテナ部１０とＲＦ−ＩＤメディア３０との通信可能距離が長くなる。
【００３６】
（第２の実施の形態）
第１の実施の形態においては、２つのコイル状アンテナが八の字を描くように形成されているが、４つのコイル状アンテナが、そのうち隣接する２つのコイル状アンテナとの間にてそれぞれ八の字を描くように形成されてなるものも考えられる。
【００３７】
図３は、本発明の情報書込／読出装置の第２の実施の形態を示す図である。
【００３８】
本形態は図３に示すように、１つの平面上にて４つのコイル状アンテナ１１１ａ〜１１１ｄがそれぞれ、他の２つのコイル状アンテナとの間にて八の字を描くように直列に接続されて構成され、流れる電流によって磁界を生じさせるアンテナ部１１０と、アンテナ部１１０に電流を供給することにより、アンテナ部１１０を介して、ＲＦ−ＩＤメディアに対する情報の書き込みや読み出しを行う情報書込／読出制御部１２０とから構成されている。
【００３９】
上記のように構成された情報書込／読出装置においては、情報書込／読出制御部１２０からアンテナ部１１０に電流が供給されると、アンテナ部１１０を構成するコイル状アンテナ１１１ａ〜１１１ｄに流れる電流によって、コイル状アンテナ１１１ａ〜１１１ｄのコア部分から放出される方向に磁界が発生する。
【００４０】
この状態で、ＲＦ−ＩＤメディアを情報書込／読出装置のアンテナ部１１０に近接させると、コイル状アンテナ１１１ａ〜１１１ｄを流れる電流によって発生した磁界が、ＲＦ−ＩＤメディアのアンテナのコイル状のコア部分を貫通し、それにより、ＲＦ−ＩＤメディアのアンテナに電流が流れる。
【００４１】
ＲＦ−ＩＤメディアのアンテナに流れる電流は、ＲＦ−ＩＤメディアのＩＣモジュールに供給され、それにより、ＲＦ−ＩＤメディアのアンテナと情報書込／読出装置のアンテナ部１１０を介して通信が行われ、非接触状態において、情報書込／読出装置からＲＦ−ＩＤメディアのＩＣモジュールに情報が書き込まれたり、ＲＦ−ＩＤメディアのＩＣモジュールに書き込まれた情報が情報書込／読出装置にて読み出されたりする。
【００４２】
ここで、図３に示した情報書込／読出装置のアンテナ部１１０にて発生する磁界について詳細に説明する。
【００４３】
図４は、図３に示したアンテナ部１１０にて発生する磁界を説明するための図である。
【００４４】
図４に示すように、情報書込／読出制御部１２０から供給された電流がコイル状アンテナ１１１ａからコイル状アンテナ１１１ｂ、コイル状アンテナ１１１ｃ、コイル状アンテナ１１１ｄの順に流れ、情報書込／読出制御部１２０に戻るものとする。
【００４５】
すると、コイル状アンテナ１１１ａ，１１１ｃにおいては反時計回りに電流が流れ、また、コイル状アンテナ１１１ｂ，１１１ｄにおいては時計回りに電流が流れる。そのため、コイル状アンテナ１１１ａ，１１１ｂが互いに隣接する辺、コイル状アンテナ１１１ｂ，１１１ｃが互いに隣接する辺、コイル状アンテナ１１１ｃ，１１１ｄが互いに隣接する辺及びコイル状アンテナ１１１ｄ，１１１ａが互いに隣接する辺においては、それぞれ同一方向に電流が流れることになる。また、コイル状アンテナ１１１ａ，１１１ｃを流れる電流によって発生する磁界とコイル状アンテナ１１１ｂ，１１１ｄを流れる電流によって発生する磁界とがコイル状アンテナ１１１ａ〜１１１ｄのコア部分から逆方向に放出されるように生じる。それにより、コイル状アンテナ１１１ａ，１１１ｂが互いに隣接する辺の近傍においては、コイル状アンテナ１１１ａを流れる電流によって発生する磁界とコイル状アンテナ１１１ｂを流れる電流によって発生する磁界とが強め合い、１つのコイル状アンテナの場合と比べて２倍の大きさの磁界が発生することになる。また、コイル状アンテナ１１１ｂ，１１１ｃが互いに隣接する辺の近傍においては、コイル状アンテナ１１１ｂを流れる電流によって発生する磁界とコイル状アンテナ１１１ｃを流れる電流によって発生する磁界とが強め合い、１つのコイル状アンテナの場合と比べて２倍の大きさの磁界が発生することになる。また、コイル状アンテナ１１１ｃ，１１１ｄが互いに隣接する辺の近傍においては、コイル状アンテナ１１１ｃを流れる電流によって発生する磁界とコイル状アンテナ１１１ｄを流れる電流によって発生する磁界とが強め合い、１つのコイル状アンテナの場合と比べて２倍の大きさの磁界が発生することになる。また、コイル状アンテナ１１１ｄ，１１１ａが互いに隣接する辺の近傍においては、コイル状アンテナ１１１ｄを流れる電流によって発生する磁界とコイル状アンテナ１１１ａを流れる電流によって発生する磁界とが強め合い、１つのコイル状アンテナの場合と比べて２倍の大きさの磁界が発生することになる。
【００４６】
このように、隣接するものどうしが、反対回りに電流が流れるように４つのコイル状アンテナ１１１ａ〜１１１ｄが、他の２つのコイル状アンテナとの間にて八の字を描くように直列に接続されているため、４つのコイル状アンテナ１１１ａ〜１１１ｄうち互いに隣接するコイル状アンテナ間においてはコイル状アンテナのコア部分にて発生する磁界の向きが逆になり、それにより、コイル状アンテナ１１１ａ〜１１１ｂの互いに隣接する辺の近傍においては、ＲＦ−ＩＤメディア３０をアンテナ部１０に対して垂直方向に設置した場合であっても、ＲＦ−ＩＤメディア３０のアンテナ３１のコア部を通過する磁束量が増加し、アンテナ部１０とＲＦ−ＩＤメディア３０との通信可能距離が長くなる。
【００４７】
上述した２つの実施の形態にて説明した情報書込／読出装置を用いて情報を管理する例としては、例えば、図書館等において、書籍にＲＦ−ＩＤメディアを貼付しておき、このＲＦ−ＩＤメディアに書き込まれた情報を情報書込／読出装置にて読み出したり、ＲＦ−ＩＤメディアに情報書込／読出装置によって情報を書き込んだりすることが考えられる。
【００４８】
図書館等にて書籍を保管する場合、書籍はその背表紙が正面を向くように保管される場合がほとんどである。一方、ＲＦ−ＩＤメディアは書籍の表紙あるいは裏表紙に貼付される場合が多い。そのため、一般的に、情報書込／読出装置のアンテナ部とＲＦ−ＩＤメディアのアンテナとは正対させることが困難である。
【００４９】
そこで、上述したような情報書込／読出装置を用いれば、情報書込／読出装置のアンテナ部がＲＦ−ＩＤメディアのアンテナに対して垂直方向となる場合であっても、ＲＦ−ＩＤメディアに対する情報の書き込みあるいは読み出しを行うことができる。
【００５０】
また、物品等にＲＦ−ＩＤメディアを貼付しておき、このＲＦ−ＩＤメディアに書き込まれた情報を、物品が通過するゲートにて読み出すことにより物品を管理するものにも用いることが考えられる。
【００５１】
その場合、物品に貼付されたＲＦ−ＩＤメディアに書き込まれた情報を読み出すためのゲートに、上述したような情報書込／読出装置のアンテナ部を設置しておけば、物品がどのような向きでゲートを通過した場合であっても、また、ＲＦ−ＩＤメディアが物品のいかなる位置に貼付された場合であっても、ＲＦ−ＩＤメディアに書き込まれた情報を読み出すことができる。
【００５２】
（第３の実施の形態）
なお、上述した２つの実施の形態においては、情報書込／読出装置のアンテナ部が、複数のコイル状のアンテナが、他のコイル状のアンテナとの間にて八の字を描くように形成されているものについて説明したが、このようなアンテナをＲＦ−ＩＤメディア側にも形成することも考えられる。
【００５３】
図５は、本発明のＲＦ−ＩＤメディアの実施の一形態である非接触型ＩＣタグの一例を示す図である。
【００５４】
本形態における非接触型ＩＣタグは図５に示すように、樹脂シート等のベース基材２５０上に、外部からの情報の書き込み及び読み出しが可能なＩＣモジュール２１０が搭載されるとともに、接点２４０を介してＩＣモジュール２１０と接続され、外部に設けられた情報書込／読出装置（不図示）からの電磁誘導によりＩＣモジュール２１０に電流を供給し、ＩＣモジュール２１０に対する情報の書き込み及び読み出しを非接触状態にて行うための導電性のアンテナ部２２０が、２つのコイル状アンテナ２２１ａ，２２１ｂが八の字を描くように直列に接続されて構成されている。
【００５５】
上記のように構成された非接触型ＩＣタグにおいては、上述したような情報書込／読出装置と組み合わせて使用した場合、指向性が高まり、例えば、図５に示したような非接触型ＩＣタグのみ情報の書き込み及び読み出しが可能な領域を設定することができる。
【００５６】
なお、本形態においては、２つのコイル状アンテナ２２１ａ，２２１ｂからアンテナ部２２０が構成されているが、複数のコイル状アンテナが、他のコイル状アンテナとの間にて八の字状となるように直列に接続されたものであれば、その数は限られない。
【００５７】
また、本形態にいては、ＲＦ−ＩＤメディアとして非接触型ＩＣタグを例に挙げて説明したが、非接触型ＩＣカードや非接触型ＩＣラベル等、コイル状のアンテナを有するものであればこれに限定されるものではない。
【００５８】
【発明の効果】
以上説明したように本形態においては、ＲＦ−ＩＤメディアに対して非接触状態にて情報の書き込み及び読み出しを行う情報書込／読出装置において、複数のコイル状のアンテナが、他のコイル状のアンテナとの間にて１つの平面で八の字を描くように直列に接続されて形成されたアンテナ部が設けられているため、複数のコイル状のアンテナが隣接する領域においては、アンテナ部に対してＲＦ−ＩＤメディアを垂直方向に設置した場合において、ＲＦ−ＩＤメディアのアンテナのコア部を通過する磁束量が増加し、アンテナ部とＲＦ−ＩＤメディアとの通信可能距離が長くなることになり、アンテナ部が平面で構成されながらも、アンテナ部に対してＲＦ−ＩＤメディアが垂直に設置された場合におけるＲＦ−ＩＤメディアに対する情報の書き込み及び読み出し可能距離を長くすることができる。
【図面の簡単な説明】
【図１】本発明の情報書込／読出装置の第１の実施の形態を示す図である。
【図２】図１に示したアンテナ部にて発生する磁界を説明するための図である。
【図３】本発明の情報書込／読出装置の第２の実施の形態を示す図である。
【図４】図３に示したアンテナ部にて発生する磁界を説明するための図である。
【図５】本発明のＲＦ−ＩＤメディアの実施の一形態である非接触型ＩＣタグの一例を示す図である。
【図６】一般的な非接触型ＩＣタグの構造の一例を示す図である。
【図７】図６に示した非接触型ＩＣタグに対する情報の書き込み及び読み出し動作の原理を説明するための図である。
【図８】図６に示した非接触型ＩＣタグを情報書込／読出装置のアンテナに対して垂直に配置した場合における非接触型ＩＣタグに対する情報の書き込み及び読み出し動作の原理を説明するための図である。
【符号の説明】
１０，１１０　　アンテナ部
１１ａ，１１ｂ，１１１ａ〜１１１ｄ　　コイル状アンテナ
２０，１２０　　情報書込／読出制御部
３０　　ＲＦ−ＩＤメディア
３１　　アンテナ
２１０　　ＩＣモジュール
２２０　　アンテナ部
２２１ａ，２２１ｂ　　コイル状アンテナ
２４０　　接点
２５０　　ベース基材
【図１】
2004126750.tif 000003
【図２】
2004126750.tif 000004
【図３】
2004126750.tif 000005
【図４】
2004126750.tif 000006
【図５】
2004126750.tif 000007
【図６】
2004126750.tif 000008
【図７】
2004126750.tif 000009
【図８】
2004126750.tif 000010